(57)【要約】カラーシフトフィルムと該カラーシフトフィルムの後方に位置する標示を有する物品を開示する。少なくとも第１および第２の着色部分がこの標示の前景と背景として配列される。第１の部分は第１の蛍光着色剤を含み、第２の部分は異なる第２の蛍光着色剤を含む。この着色部分の少なくとも１つはパターン化されている。明るい蛍光発光が異なる角度範囲にわたって該異なる着色剤から視認されて、高コントラスト反転または変化を生じる。
2004525406.tif 000002
【特許請求の範囲】
【請求項１】
カラーシフトフィルムと、
前記カラーシフトフィルムの後方に配置された標示層と、を含む物品であって、
前記標示層が、前記標示の前景と背景として配列された少なくとも第１および第２の着色部分を含み、前記第１の着色部分が第１の蛍光着色剤を含み、前記第２の着色部分が前記第１の蛍光着色剤と異なる第２の蛍光着色剤を含む物品。
【請求項２】
第１および第２の蛍光着色剤がそれぞれ第１および第２の発光帯を有し、第１の視角で前記カラーシフトフィルムが前記第１の発光帯の光の透過を実質的に阻止し、前記第２の発光帯の光を実質的に透過する、請求項１に記載の物品。
【請求項３】
第２の視角で前記カラーシフトフィルムが前記第１の発光帯の光を実質的に透過し、前記第２の発光帯の光を実質的に阻止する、請求項２に記載の物品。
【請求項４】
第２の視角で前記カラーシフトフィルムが前記第１および第２の発光帯の光を実質的に透過する、請求項２に記載の物品。
【請求項５】
少なくとも前記第１の着色部分が前記カラーシフトフィルム上に印刷されている、請求項１に記載の物品。
【請求項６】
少なくとも前記第２の着色部分が前記カラーシフトフィルム上に印刷されている、請求項１に記載の物品。
【請求項７】
前記第１の着色部分もまた、前記カラーシフトフィルム上に印刷され、前記第２の着色部分が前記第１の着色部分の上に延在するように実質的に連続して印刷される、請求項６に記載の物品。
【請求項８】
接着剤層をさらに含む、請求項１に記載の物品。
【請求項９】
前記接着剤層が前記物品の基材への取り付けを可能にするように配置される、請求項８に記載の物品。
【請求項１０】
前記接着剤層が第１および第２の着色部分の１つを含む、請求項８に記載の物品。
【請求項１１】
前記前景が第１の着色部分を含み、前記背景が前記第２の着色部分を含む、請求項１に記載の物品。
【請求項１２】
前記背景が第１の着色部分を含み、前記前景が前記第２の着色部分を含む、請求項１に記載の物品。
【請求項１３】
前記カラーシフトフィルムが偏光子とミラーからなる群から選択される、請求項１に記載の物品。
【請求項１４】
前記標示の後方に配置された実質的に白色の拡散表面をさらに含む、請求項１に記載の物品。
【請求項１５】
前記第１の蛍光着色剤が励起帯を有し、前記カラーシフトフィルムが第１の角度で前記励起帯の光の透過を実質的に阻止し、第２の角度で前記励起帯の光を実質的に透過する、請求項１に記載の物品。
【請求項１６】
前記第２の蛍光着色剤が励起帯を有し、前記カラーシフトフィルムが第１の角度で前記励起帯の光の透過を実質的に阻止し、第２の角度で前記励起帯の光を実質的に透過する、請求項１に記載の物品。
【請求項１７】
カラーシフトフィルムのエンボス領域、ホログラフィ要素、および印刷された情報からなる群から選択される少なくとも１つの要素から形成される追加の標示をさらに含む、請求項１に記載の物品。
【発明の詳細な説明】
【技術分野】
【０００１】
本発明は、一般に、外観が視角に極めて依存する情報を組み込んだフィルムと他の物品に関する。
【背景技術】
【０００２】
方向性のある像−ある視角では視認できるが、他の視角では視認できない像を組み込んだフィルムが一般的に知られている。米国特許第６，０２４，４５５号（Ｏ’Ｎｅｉｌｌら）は、例えば多層フィルムがパターン化された再帰反射性層を被覆している反射性物品を開示している。このパターン化された再帰反射性層は、従来のインキ、染料、またはある波長には実質的に不透明であるが、他の波長には透明である他の物質を含むパターン化された領域を有する標示層を含むことができる。しかしながら、このようなフィルムは、最適な視認に対して特殊な照明配置を必要とする。
【発明の開示】
【発明が解決しようとする課題】
【０００３】
中でも、ＰＣＴ公開ＷＯ９９／３６２５８号（Ｗｅｂｅｒら）は、印刷された標示、およびＵＶで吸収し、この色スペクトルの可視領域で蛍光を発する染料などの蛍光増白剤付きのカラーシフトフィルムを開示している。このような物品は、また、外観が視角と共に変化する像も提供することができ、特に、ここでは、印刷された標示が観察者に対してこのカラーシフトフィルムの裏側に設けられている。このような物品を通常のオフィス環境内などの通常の拡散した照明条件下で視認することができるのが有利である。
【課題を解決するための手段】
【０００４】
常に異なり、視覚的に印象的な製品構成を探求するなかで、本出願人らは、カラーシフトフィルムと蛍光着色剤の新しい、有用な組合わせを見出した。例えば、本出願人らは、本発明書において、少なくとも第１および第２の着色部分がカラーシフトフィルムの後方に配置され、このような部分がそれぞれ第１および第２の異なる蛍光着色剤を含む実施態様を記載する。この第１および第２の着色部分が標示を規定する。第１の角度ではこの第１の着色剤のみからの蛍光発光がこのフィルムを通して視認できるように、このカラーシフトフィルムとこの第１および第２の蛍光着色剤の性質を選択することができる。第２の角度ではこの第２の着色剤からの蛍光発光がこのフィルムを通して視認できる。第２の角度でこの第１の着色剤からの蛍光発光がこのフィルムを通して視認できない場合、両方の着色剤がこのフィルムを通して視認できる第３の角度が存在することもある。また、いずれの着色剤もこのフィルムを通して視認できない第４の角度が存在することもある。この第１および第２の着色部分をこの標示の前景と背景として配列することにより、これらの性質は角度の関数として劇的なコントラスト変化を伴う極めて視認性の高い標示を生じることができる。
【０００５】
図面においては、類似の参照番号は類似の要素を示す。
【発明を実施するための最良の形態】
【０００６】
図１においては、物品１０は、カラーシフトフィルム１２とフィルム１２の後方に配置され、少なくともある視角および／または照明配置でフィルム１２から視認できる標示１４（図２、３を参照）を含む。標示１４は、少なくとも第１の着色部分１６と第２の着色部分１８から構成されるか、あるいは規定される。図１〜３に最もよく示されるように、部分１６、１８は相補的にパターン化されていて、この実施態様においては一文字「Ｗ」である標示１４を規定する。図１は、図１よりも若干小さな寸法で描いた、図２−３の軸１−１に沿った断面図におおよそ対応することを注目されたい。物品１０はまた、好ましくは従来の感圧接着剤（ＰＳＡ）を含むが、代替的に熱活性化型接着剤または他の好適な接着剤を含むことができる任意選択の接着剤層２０も含む。接着剤層２０は物品１０を任意選択の基材２２に固定する。所望ならば、基材２２は物品１０の一部を形成することができる。物品１０の使用の意図によって、基材２２は、文書、紙のシート、剛性あるいは可撓性の標識支持体、または若干の照明を物品１０の背後から所望する場合には、剛性あるいは可撓性窓材料などの広範な種々の異なる物品をそれ自体含むことができる。いかなる光でもカラーシフトフィルム１２と標示１４の組合わせを透過する程度に、このような光を基材２２により吸収、拡散反射または鏡面反射、あるいは透過することができる。
【０００７】
カラーシフトフィルム１２は、このような光がこのフィルム上に入射する角度の関数として異なる波長の光を透過する性質を有する。この透過特性は、また、法線方向入射でも偏光依存性であってもよい。この点で、フィルム１２は、偏光子、ミラー、または実質的な偏光特性を有するミラーとすることができる。好ましいフィルム１２は、このような単位セルの光学的厚さの２倍の波長で光を反射するのに有効である多数の単位セルとして配列された多数の交互性ポリマー層を有する。２つ以上のポリマーを同時押し出しして、交互配置された材料流を形成することにより、このようなフィルムを作製することができる。引き続いて、このキャスト同時押し出しフィルムを一軸あるいは二軸延伸により薄くし、配向させて、完成した反射偏光子またはミラーを形成することができる。好ましくは、このポリマーの少なくとも１つは、屈折率が延伸時に変化する歪み誘起複屈折能がある。２つ、３つ、あるいはそれ以上の個別のポリマー層を各々含むことができる単位セルは、また、通常、フィルム１２の厚さ方向に光学的厚さ勾配を有し、比較的広い分光帯（「反射帯」）がこのフィルムにより反射されるように配列される。この反射帯の境界は、本発明書においては、バンドエッジ−高反射率（低透過率）から低反射率（高透過率）へのスペクトルの遷移あるいはその逆と呼ばれる。このバンドエッジを鋭くするために単位セルの厚さプロフィールを自前で作製することも既知である。好適なカラーシフトフィルムのこれらのおよび他の局面は、米国特許第５，８８２，７７４号（Ｊｏｎｚａら）、同第６，０２４，４５５号（Ｏ’Ｎｅｉｌｌら）、および「カラーシフトフィルム（Ｃｏｌｏｒ  Ｓｈｉｆｔｉｎｇ  Ｆｉｌｍ）」と題する、１９９８年１月１３日に出願された米国特許出願第０９／００６，５９１号（Ｗｅｂｅｒら）の１つ以上に記載されている。２つ以上の個別の層および／または２つ以上の独特のポリマー材料を有する単位セルの説明には、米国特許第５，１０３，３３７号（Ｓｃｈｒｅｎｋら）（再発行米国特許第Ｒｅ．３４，６０５号として再発行された）および米国特許第５，３６０，６５９号（Ａｒｅｎｄｓら）も言及される。
【０００８】
従来の無機多層フィルム−例えば２つの無機誘電体材料を多数の層としてガラスまたは他の好適な基材上に順次真空堆積することにより、あるいは無機材料と有機ポリマーの交互性層を真空堆積することによりことにより作製される（例えば、米国特許第５，４４０，４４６号（Ｓｈａｗら）、同第５，８７７，８９５号（Ｓｈａｗら）、および同第６，０１０，７５１号（Ｓｈａｗら）を参照）−もカラーシフトフィルム１２として使用することができる。これらの交互性の多層フィルムに比較して、先行の段落で述べた好ましいポリマーフィルムは、フィルム内の隣接層の面外の屈折率（ｚ−インデックス）を制御することにより、実質的にすべての入射角度にわたって、光の偏光に無関係にバンドエッジの完全性を維持することが可能である追加の利点を有する。好ましくは、単位セル内の隣接ポリマー層のｚ軸に沿った屈折率差Δｎｚは、このような隣接層間のフィルムの面の中の最大の屈折率差（すなわち、ΔｎｘまたはΔｎｙ）未満、さらに好ましくはこのような最大の面内屈折率差の０．５あるいは０．２倍未満であり、好ましくは実質的にゼロとすることもできる。これらの条件は、反射帯が入射角度の変化と共に波長または色をシフトする場合でも、バンドエッジの形状の維持を助け、これが広範囲の入射角度にわたる高色飽和に肉眼的に対応する。好適なフィルムは、３Ｍ社（Ｓｔ．Ｐａｕｌ，Ｍｉｎｎｅｓｏｔａ，ＵＳＡ）から３Ｍ（登録商標）Ｒａｄｉａｎｔ  Ｒａｄｉａｎｔ  Ｆｉｌｍの商品名で入手できる。
【０００９】
層が配向されず、屈折率で実質的に等方性である同時押し出しされたポリマーフィルムもカラーシフトフィルムに使用することができる。このようなフィルムは、例えば、米国特許第３，８０１，４２９号（Ｓｃｈｒｅｎｋら）、同第４，１６２，３４３号（Ｗｉｌｃｏｘら）、および同第４，３１０，５８４号（Ｃｏｏｐｅｒら）に記載されている。
【００１０】
第１の着色部分１６はパターン化されて、文字「Ｗ」の前景を形成し、カラーシフトフィルム１２の後方に配置される。他の文字、記号、または情報を伝える形状も考えられる。重要なことには、部分１６は蛍光着色剤を含む。用語「着色剤」は、本発明書において使用される通り、顔料、染料、または物品に色相または彩度を付与するのに使用される他の物質または物質の組合わせのいかなるものも意味する。用語「蛍光」は、異なる（、通常、短い）波長（または波長帯）での光の吸収の結果として、１つの波長（または波長帯）で光を発する性質を指す。発せられた蛍光の波長範囲は発光帯と呼ばれ；吸収された光の波長範囲は励起帯と呼ばれる。蛍光着色剤とカラーシフトフィルムの適切な選択により、ある角度でこの発光帯の光をこのカラーシフトフィルムから実質的に透過させることができる。ある実施態様においては、発光帯の光は他の角度でカラーシフトフィルムにより実質的に反射される（それゆえ、観察者の目に達するのを阻止する）。さらにあるいは代替として、極めて方向性の高い光源を使用する場合には、ある角度で励起帯の光を蛍光着色剤に達するのを阻止することができるが、他の角度でこの蛍光着色剤まで透過させることができる。図１に示す矢印２４、２６は、それぞれ、法線方向入射の視角と斜めの視角を表わす。これらの角度の１つで、カラーシフトフィルム１２は第１の着色部分１６の蛍光発光を透過して、明るい「Ｗ」を生じる（図３）。他の角度では、カラーシフトフィルム１２はこの発光帯の光を実質的に阻止して、この「Ｗ」は比較的暗くなる（図２）。
【００１１】
前述の説明は、着色部分１６中の蛍光着色剤が励起帯の光の吸収により励起を受けることが可能であることを仮定している。意図される用途によってこのような励起を多数の方法で行うことができる。
【００１２】
ある用途においては、物品１０の後方からは顕著な量の光は発生しない。これらの場合には、励起光はカラーシフトフィルム１２を通過し、その後第１の着色部分１６に達する。あるカラーシフトフィルム１２は、ある入射方向および／またはある偏光に対してのみこの励起光を有効に透過することができる。この物品に呼び掛けを行うために、励起光のこのような選択的な透過を特殊なで使用することができる：適切な角度および／または偏光特性を有する１つの光のビームをこれらの特性を有しない別の光のビームと交互させ、可視の応答（好適な観察角度での蛍光発光またはそれの欠如）をモニターする。あるいは、この用途は、物品１０を実質的にすべての角度と偏光から前面に入射する光−通常のオフィス環境で見出されるようなもの−に暴露させるものであってもよく、適切な角度および／または偏光特性を有する充分な量の励起帯の光が存在して、部分１６で蛍光を生じるものであってもよい。他のカラーシフトフィルム１２は、実質的にすべてのあるいは少なくとも広範囲の入射角度および／または偏光に対して励起光を有効に透過することができる。これらのフィルムに対しては、比較的大量の外周光がカラーシフトフィルムを通過して、さらに明るい蛍光発光を生じる。
【００１３】
ある用途においては、バックライトまたは他のランプなどの光源を物品１０の後方で使用する。これらの場合には、部分１６の後方に配置されるいかなる材料または要素を単純に選択して、部分１６中に所望の蛍光効果を生じるのに充分な励起帯の光に対して集合した透過を持たせる。
【００１４】
物品１０はまた、カラーシフトフィルム１２の後方に配置された第２の着色部分１８も含む図１に示すように、部分１８を部分１６に相補的にパターン化することができる。あるいは、製造を簡単にするために、部分１６、１８の一方のみをパターン化し、他方の部分を非パターン化とすることができる。その場合には、非パターン化部分を例えば連続層で印刷して、ある場所ではパターン化部分を被覆し、他の場所ではパターン化部分の間に延在させることができる。別の製造のアプローチにおいては、このパターン化部分をカラーシフトフィルム１２に積層するか、あるいはそうでなければカラーシフトフィルムの後方に置いた連続した非パターン化部分と得られた組合わせの上面に印刷することができる。さらに別のアプローチにおいては、パターン化部分をカラーシフトフィルムの裏側に印刷することができ、非パターン化部分をその組合わせの後方に単に配置することができる。限定ではないがフレキソ印刷法を含む従来の被覆方法を使用して、着色部分をフィルム１２に塗布することができる。
【００１５】
この物品が非パターン化接着剤層２０を含む場合には、このような層は、適切な蛍光着色剤と所望ならば、非蛍光着色剤を含ませることにより第１あるいは第２の着色部分１６、１８を置き換えることができる。
【００１６】
図１〜３に示すように、部分１８は標示１４に対する背景を形成する。重要なことには、部分１８はまた、蛍光着色剤であるが、好ましくは部分１６の蛍光着色剤と発光スペクトルについて異なる蛍光着色剤も含む。すなわち、部分１８は、好ましくは部分１６のそれとは実質的に異なる色の蛍光を発する。この異なる発光波長をカラーシフトフィルム１２の特性と調和よく組み合わせて、明るい蛍光色が角度の変化と共に出現したり消失したりして、標示１４の視認性とコントラストを増進するようにすることができる。例えば、１つの視角でカラーシフトフィルム１２は、部分１６からの蛍光発光を実質的に阻止するが、部分１８から蛍光発光を実質的に透過することもある。これは図２に図示されているが、ここでは、点刻を使用して、明るい着色外観を標示し、非点刻領域は暗くなった外観を標示する。別の角度では、カラーシフトフィルム１２は反対の向きで蛍光発光を処理し、図３に図示するように異なる色の逆転コントラストの像を生じる。
【００１７】
部分１６、１８はまた、非蛍光性顔料、染料、インキ、または他の着色剤−すなわち、特定の用途に対して予期された光レベルに暴露した場合、普通の観察者に目に付くような蛍光発光を生じない着色剤も含むことができる。
【００１８】
図４および５は、特定の実施態様に対して第１および第２の着色部分とこのカラーシフトフィルムの分光特性を図示する、理想化され、簡略化された複合グラフである。図示したすべての曲線に対して、ｘ軸は光の波長λをナノメータ（ｎｍ）で表わし、可視領域はほぼ４００から７００ｎｍに及ぶ。曲線５０（図４）は、カラーシフトフィルム１２の法線方向入射での分光透過率を表わし、曲線５０’（図５）は斜めの入射角度での透過率を表わす。これらの曲線は光の特定の偏光、またはその代わりに偏光全体の平均に対するものでもよい。これらの曲線に対しては、ｙ軸は０％から１００％までのパーセント透過率を表わす。カラーシフトフィルム１２が上述の好ましいポリマー多層フィルムを含む場合には、このフィルム中での吸収は問題の大部分の波長に対して通常１％よりも極めて小さいので、特定の波長での鏡面反射率は、実質的に１００％マイナスパーセント透過率である。曲線５２および５４は、いかなるカラーシフトフィルムも不在でそれ自体として測定された着色部分１６、１８の有効反射率（反射率プラス蛍光強度）を表わす。曲線５２、５４に対しては、ｙ軸は任意単位での有効反射率を表わす。曲線５２、５４は相互にほぼ一定の比例の寸法によるものである。しかしながら、この曲線の相対的な高さは、厳密であることを意図されたものでなく、すべての曲線は説明を容易にするために理想化されている。
【００１９】
法線方向の入射（図４）では、カラーシフトフィルム１２は図示するようにバンドエッジ５０ａ、５０ｂを境界とした反射帯中で低透過率を有するこの反射帯の外側では、このフィルムは高透過率を有する。それゆえ、この配置では、フィルム１２は、着色部分１６（曲線５２）に関連する光を実質的に阻止するが、着色部分１８（曲線５４）に関連する光を実質的に透過する。目視者は、図２に図示するように１つの色の明るい背景部分と暗くされた前景部分と共に高コントラスト標示を見る。フィルム１２は、蛍光着色剤に対する励起帯が法線方向に在る曲線５２、５４よりも短い波長で光を実質的に透過することを注目されたい。
【００２０】
高入射角度（図５）では、５０ａ’と５０ｂ’と符号を付けた反射帯と関連するバンドエッジは、短波長にシフトしている−それゆえ、透過光における付随するシフトを記述するための用語カラーシフトフィルムを使用する。この配置では、着色部分１６（曲線５２）からの光はフィルム１２により実質的に透過されるが、部分１８（曲線５４）からの光は実質的に阻止される。目視者は、今度は、図３に図示するように、暗くされた背景部分と明るい前景部分と共に、高コントラスト標示を再度見る。図４および５の入射角度の中間のある入射角度では、反射帯のスペクトル幅および曲線５２、５４の間隔と幅によって、前景および背景部分を両方とも明るく、あるいは両方とも暗くすることができる。図５の角度よりも大きい角度では、バンドエッジ５０ｂ’は、前景および背景部分の両方が明るくなるほど、充分に短波長にシフトすることもある。この角度挙動は図５ａに図示されているが、ここでは、５６は第１の着色部分１６（曲線５２）からの蛍光発光が観察者に実質的に視認できる角度範囲を示し、５８は着色部分１８（曲線５４）に対して類似である。図５ａでの軸１１は物品１０に法線方向の軸を表わす。
【００２１】
最大のコントラストシフトに対して、着色部分１６、１８は上述のように特定の標示の前景と背景として配列される。さらに、部分１６を使用して（前景または背景のいずれかとして）、１つの標示を規定し、部分１８を使用して（前景または背景のいずれかとして）、第２の独立の標示を規定することができる。
【００２２】
図６は図４に類似した法線方向入射に対する、しかし異なる第１および第２の着色部分１６、１８と異なるカラーシフトフィルム１２を有する異なる実施態様に対する理想化され、簡略化された複合グラフである。曲線６０は法線方向入射でのカラーシフトフィルム１２の分光透過率を表わす。曲線６０はバンドエッジ６０ａ、６０ｂを含む。曲線６２、６４は着色部分１６、１８それぞれの有効反射率（上述のような）を表わす。曲線６２、６４の全体の分光分布は実質的に異なる色を表わす。さらには、法線方向入射では、フィルム１２は着色部分１６、１８に関連する光を実質的に阻止し、そこで、両方は実質的に視認できない。フィルム１２は実質的に可視スペクトル全体にわたって反射するために、この実施態様におけるカラーシフトフィルム１２（および物品１０）は銀色様の視認可能なミラーの外観を有する。フィルム１２は、また、短波長で実質的な透過率も有して（バンドエッジ６０ｂを参照のこと）、励起光が着色部分を通過するのを可能にする。
【００２３】
観察角度が漸次高くなると、バンドエッジａ６０のブルーシフトによって、最初に前景（曲線６２）、次に背景（曲線６４）が目視者に明るく見えるようになる。このように、法線方向の視角で実質的にミラー様に見える物品１０は、観察角度を高くするとコントラストと色の変化を伴って標示１４を表示する。この角度挙動は図６ａに図示されているが、ここでは、６６は第１の着色部分１６（曲線６２）からの蛍光発光が観察者に実質的に視認できる角度範囲を示し、６８は着色部分１８（曲線６４）に対して類似である。
【００２４】
図７は図６に類似した法線方向の入射に関する、理想化され簡略化された複合グラフであるが、これは異なる第１および第２の着色部分１６、１８と、異なるカラーシフトフィルム１２と、を有するさらに別の実施態様に関するグラフである。曲線７０は法線方向入射でのカラーシフトフィルム１２の分光透過率を表わす。曲線７０はバンドエッジ７０ａを含む。曲線７２、７４は着色部分１６、１８それぞれの有効反射率（上述のような）を表わす。曲線７２、７４の全体の分光分布は実質的に異なる色を表わす。この実施態様においては、法線方向入射でフィルム１２は、曲線７２、７４の両方から光を実質的に透過して、異なる色の明るい前景と明るい背景と共に高コントラストの外観を生じる。実際に、法線方向入射では、フィルム１２は、この可視スペクトルにわたって高透過率を有するために、実質的に透明なフィルムの外観を有する。フィルム１２は、また、蛍光着色剤に対する励起帯が法線方向に在る曲線７２、７４よりも短い波長でも光を実質的に透過する。
【００２５】
斜めの角度の観察にたいしては、バンドエッジ７０ａは角度の増加と共に青色（短波長）にシフトする。最初に、着色部分１６（曲線７２）からの光が、その後着色部分１８（曲線７４）からの光がフィルム１２により阻止されるようになる。目視者は、再度、角度の関数として明るい色または暗い色の変化と共に高コントラストで標示１４を見る。図７ａは角度挙動を図示する：７６は第１の着色部分１６（曲線７２）からの蛍光発光が観察者に実質的に視認できる角度範囲を示し、７８は着色部分１８（曲線７４）に対して類似である。
【００２６】
図８は図７に類似した法線方向の入射に対する、しかし異なる第１および第２の着色部分１６、１８と異なるカラーシフトフィルム１２を有するなお別の実施態様に対するさらに別の理想化され、簡略化された複合グラフである。曲線８０は法線方向入射でのカラーシフトフィルム１２の分光透過率を表わす。曲線８０はバンドエッジ８０ａ、８０ｂ、８０ｃを含む。曲線８２、８４は着色部分１６、１８それぞれの有効反射率（上述のような）を表わす。曲線８２、８４の全体の分光分布は実質的に異なる色を表わす。この実施態様においては、法線方向入射でフィルム１２は、曲線８２から光を実質的に透過するが、曲線８４から光を実質的に阻止して、明るい前景と暗い背景と共に高コントラストの外観を生じる。フィルム１２は、また、蛍光着色剤の励起帯が在る相対的に短い波長（バンドエッジ８０ｃを参照のこと）で光を透過することを注目されたい。
【００２７】
斜めの角度の観察にたいしては、バンドエッジは角度の増加と共に青色（短波長）にシフトする。バンドエッジ８０ａ、８０ｂの動きにより、曲線８４からの背景光は実質的に透過され、前景曲線８２からの光はカラーシフトフィルムにより阻止されるようになる。図８ａはどのように観察者が第１の着色部分１６からの明るい蛍光を角度範囲８６にわたってどのように見るか、また第２の着色部分１８からの明るい蛍光を角度範囲８８にわたってどのように見るかを示す。
【００２８】
一般に、好適な物品１０は追加の層と形状構成を含むことができる。例えば、カラーシフトフィルム１２は、熱および／または圧力によりエンボスを加えた１つ以上の領域を含むことができる。このエンボス領域は非エンボス隣接領域よりも薄く、それゆえ分光透過率とこの非エンボス領域の対応する形状構成に対して青カラーシフトされた反射形状構成を有する。このエンボス領域は、上述のように標示１４に加えて標示の形をとることができる。別の例として、カラーシフトフィルム１２は、従来のホログラフィ像を生じるのに好適な微小構造付きのレリーフパターンを含むか、あるいは搭載することができる。このような像を使用して、選ばれた配置で標示１４を不明瞭にすることができる。カラーシフトフィルムの上面の好適なスキン層または被膜の中に既知のホログラフィエンボス技術を用いて、レリーフパターンを形成することができる。あるいは、カラーシフトフィルムにラミネートされた別の透明シートの中にレリーフパターンを組み込むことができる。一般に、米国特許第５，６５６，３６０号（Ｆａｙｋｉｓｈら）が言及される。このような別の透明シートは、製造が容易であり、動作温度範囲にわたって物品が完全であるために、好ましくはポリマー性である。さらに別の例として、カラーシフトフィルム１２またはフィルム１２に積層された追加の層上に従来の方法で印刷することにより、上述の標示１４に加えて追加のグラフィック、記号、または他の標示を物品１０に付けることができる。
【実施例】
【００２９】
次の構成要素材料を用いて代表的な物品を構築した：カラーシフトフィルム１２用に３Ｍ（登録商標）Ｒａｄｉａｎｔ  Ｃｏｌｏｒ  Ｆｉｌｍ  ＣＭ５９０；着色部分１６用にＡｋｚｏ  Ｎｏｂｅｌ  ＡＧＢＰ  １８０４橙色蛍光染料；および着色部分１８用にＡｋｚｏ  Ｎｏｂｅｌ  ＡＧＢＰ  ０８０２緑色蛍光染料。この異なる染料をこのカラーシフトフィルムの片側（「背面」側と指定）に相補的な形で手により塗布して、語「ＨＡＰＰＹ」の前景（部分１６）と背景（部分１８）を形成した。この染料をフィルム１２に塗布するのに先立ち、水ベースのプライマー（Ａｋｚｏ  ＮｏｂｅｌプライマータイプＷＶＬ  ０２００２）をフィルム１２の背面に塗布して、このフィルムへの染料の付着を促進した。接着剤層２０を使用しなかった。次に、この染料を乾燥させた。この得られた被覆フィルムは可撓性であり、フィルム１２それ自体に対しては約１．９ミル（５０μｍ）；この前景領域中のフィルムプラス染料に対しては平均で約２．１〜７ミル（約５０〜１８０μｍ）；およびこの背景領域中のフィルムプラス染料に対しては平均で約２．６〜９ミル（約６５〜２３０μｍ）の全体の厚さを有していた。淡緑色からほぼ黒色まで変化する色不均一性をこの背景部分で観察した。この前景部分中で１つの文字から次の文字で不均一性（橙色の異なる色合い）の低減を観察した。この不均一性は乾燥された染料中の厚さの不均一性によるように思われた。
【００３０】
この物品を通常のオフィス照明の下で白色の紙上に裏側を下にして置いた。法線方向の入射近くで前方から見る場合、この背景の領域で緑色蛍光を観察し、異なる輝度レベルにより前景文字で橙色蛍光を観察した。法線に対する視角を徐々に増加させるに従って、橙色蛍光を見ることはできないが、いくらかの緑色蛍光を見ることができる第１の角度に達した。次に、実質的に橙色あるいは緑色の蛍光を見ることができない第２の角度に達した。最後に、第３の極めて浅い観察角度（法線方向に対して約８０度）では、緑色蛍光をなお見ることができなかったが、橙色蛍光はかなり明るく、１つの文字から次の文字までかなり均一であることが観察された。
【００３１】
この像コントラストの観察された角度依存性を説明するために、このカラーシフトフィルムとこの実施例で使用された橙色および緑色の蛍光染料の分光特性を測定した。Ｐｅｒｋｉｎ  Ｅｌｍｅｒ  Ｌａｍｂｄａ１９  ＲＳＡ−ＰＥ１９Ｓ分光計を用いて、このＣＭ５９０フィルムの予備の（非被覆の）片の透過率を測定した。図９は波長に対する測定されたパーセント透過率をプロットしたものである。曲線９０をこのフィルムに法線方向の入射で非偏光の光により測定した。曲線９２は法線方向から６０度の角度に対するｐ偏光の光とｓ偏光の光（すなわち、それぞれ、入射面で直線偏光した光と入射面に垂直な光）の平均である。反射帯の波長シフトと鋭いバンドエッジの良好な維持を注目されたい。図１０は、Ｐｅｒｋｉｎ  Ｅｌｍｅｒ  Ｍｏｄｅｌ  ＬＳＢ５０ルミネッセンス分光光度計を用いてこの橙色蛍光染料について測定したデータである。曲線１００はこの染料に対する発光帯であり、曲線１０２は励起帯である。この２つの曲線を相対応答（任意単位の）に対してプロットする。励起帯１０２は紫外領域に存在するのみならず、可視領域まで充分に延びていることを注目されたい。図９および１０の比較において、このＣＭ５９０フィルムは法線方向の角度と斜めの角度で励起帯１０２の光を実質的に透過することも注目されたい。図１１は、Ｐｅｒｋｉｎ  Ｅｌｍｅｒ  Ｍｏｄｅｌ  ＬＳＢ５０ルミネッセンス分光光度計を用いてこの緑色蛍光染料について測定したデータである。曲線１１０はこの染料に対する発光帯であり、曲線１１２は励起帯である。この２つの曲線を相対応答（任意単位の）に対してプロットする。励起帯１１２は紫外領域に存在するのみならず、可視領域まで充分に延びていて、このＣＭ５９０フィルムは法線方向の角度と斜めの角度で励起帯１０２の光を実質的に透過することを再度注目されたい。このカラーシフトフィルムに対する法線方向の入射曲線９０は、この緑色蛍光染料の発光帯１１０の光を実質的に透過し、またこの橙色蛍光染料の発光帯１００で光を透過するが、発光帯１００の実質的な部分と重複するように見える鋭いバンドエッジを有する。６０度の入射角度で、曲線９２は緑色発光帯１１０で劣った透過率を有し、橙色発光帯１００で劣った透過率を有する。この反射帯が高入射角度でもさらに短波長に動くに従って、反射帯のバンドエッジは発光帯１００の大部分を乗り越えて、橙色蛍光が再度視認可能となる。
【００３２】
いくつかのこれらの実施態様を参照しながら、本発明を説明してきた。説明した実施態様で多くの変更を本発明の範囲から逸脱することなく行うことができることは当業者には明白であろう。このように、本発明の範囲は、本明細書に記載した好ましい構造と方法に限定されるべきでなく、特許請求の範囲の広い範囲によって限定されるべきものである。
【図面の簡単な説明】
【００３３】
【図１】カラーシフトフィルムと、標示を形成するフィルムの後方に配置された第１および第２の着色部分と、を有する物品であって、基材に接着されている物品の断面図である。
【図２】小斑点を使用して、明るい蛍光色を標示する１つの視角からの図１の物品の正面図である。
【図３】小斑点を使用して、明るい蛍光色を標示する別の視角からの図１の物品の正面図である。
【図４】該第１および第２の着色部分、ならびに該カラーシフトフィルムの分光特性を１つの視角で示す理想化され、簡略化された複合グラフである。
【図５】該第１および第２の着色部分、ならびに該カラーシフトフィルムの分光特性を別の視角で示す理想化され、簡略化された複合グラフである。
【図６】該第１および第２の着色部分、ならびに該カラーシフトフィルムの分光特性を１つの視角で示す理想化され、簡略化された複合グラフである。
【図７】該第１および第２の着色部分、ならびに該カラーシフトフィルムの分光特性を１つの視角で示す理想化され、簡略化された複合グラフである。
【図８】該第１および第２の着色部分、ならびに該カラーシフトフィルムの分光特性を１つの視角で示す理想化され、簡略化された複合グラフである。
【図５ａ】該異なる蛍光着色剤に対する理想化された視野範囲を示す、図４および５の実施態様の側面図である。
【図６ａ】該異なる蛍光着色剤に対する理想化された視野範囲を示す、図６の実施態様の側面図である。
【図７ａ】該異なる蛍光着色剤に対する理想化された視野範囲を示す、図７の実施態様の側面図である。
【図８ａ】該異なる蛍光着色剤に対する理想化された視野範囲を示す、図８の実施態様の側面図である。
【図９】法線方向（０度）入射および６０度入射での特定のカラーシフトフィルムの測定された分光透過率のグラフである。
【図１０】特定の橙色蛍光染料の測定された分光特性のグラフである。
【図１１】特定の緑色蛍光染料の測定された分光特性のグラフである。
【図９】
2004525406.tif 000003
【図１０】
2004525406.tif 000004
【図１１】
2004525406.tif 000005
【国際公開パンフレット】
2004525406.tif 000006
2004525406.tif 000007
2004525406.tif 000008
2004525406.tif 000009
2004525406.tif 000010
2004525406.tif 000011
2004525406.tif 000012
2004525406.tif 000013
2004525406.tif 000014
2004525406.tif 000015
2004525406.tif 000016
2004525406.tif 000017
2004525406.tif 000018
2004525406.tif 000019
2004525406.tif 000020
2004525406.tif 000021
2004525406.tif 000022
2004525406.tif 000023
2004525406.tif 000024
2004525406.tif 000025
2004525406.tif 000026
2004525406.tif 000027
2004525406.tif 000028
2004525406.tif 000029
2004525406.tif 000030
【国際調査報告】
2004525406.tif 000031
2004525406.tif 000032
2004525406.tif 000033